(57)【要約】【課題】電子画像の整理に、現実の写真、アルバムのメタファを使って、電子機器を使い慣れないユーザにも馴染み易い操作を提供する。【解決手段】保存された複数の文書や画像データから縮小画像データを生成して一覧表示する事のできる表示装置において、縮小画像に関連つけて情報を入力する入力手段と、縮小画像と入力された情報を保存する縮小データ記憶手段と、縮小画像と入力情報を表裏の関係として反転表示させるＧＵＩ手段とを有する。【選択図】図１
2006072481.tif 000002
【特許請求の範囲】
【請求項１】
保存された複数の文書又は画像データから縮小画像データを生成して一覧表示する事のできる表示装置において、
前記縮小画像に関連つけて情報を入力する入力手段と、
前記縮小画像と前記入力された情報を保存する縮小データ記憶手段と、
前記縮小画像と前記入力情報を表裏の関係として反転表示させるＧＵＩ手段とを有する表示装置。
【請求項２】
前記縮小データ記憶手段は更に反転禁止を記憶する記憶領域を有し、前記ＧＵＩ手段により反転させることを禁止する反転禁止手段を有することを特徴とする請求項１記載の表示装置。
【請求項３】
前記反転禁止を記憶する記憶領域の状態を表示中の縮小データに関連つけて表示する表示手段を有することを特徴とする請求項２記載の表示装置。
【請求項４】
前記縮小データ記憶手段は更に書込禁止を記憶する記憶領域と、前記縮小データ上に書き込まれたストロークデータを別ファイルとして保存する記憶領域を有し、前記書き込まれたストロークデータをＧＵＩ上でオーバーレイ表示する手段を有することを特徴とする請求項１記載の表示装置。
【請求項５】
保存された複数の文書又は画像データから縮小画像データを
生成して一覧表示する表示方法において、
前記縮小画像に関連つけて情報を入力する入力工程と、
前記縮小画像と前記入力された情報を保存する縮小データ記憶工程と、
前記縮小画像と前記入力情報を表裏の関係として反転表示させる工程とを有する表示方法。
【請求項６】
請求項５記載の表示方法の各工程をコンピュータに実行させるプログラムを記憶した記憶媒体。
【請求項７】
請求項５記載の表示方法の各工程をコンピュータに実行させるプログラム。
【発明の詳細な説明】
【技術分野】
【０００１】
本発明は、電子画像の表示方法及び整理方法に関するものである。
【背景技術】
【０００２】
従来、電子画像の属性表示方法として、サムネイル表示があり、サムネイルに対応して、アトリビュート、アノテーション、メモリンクデータなどを表示する方法として、第一の例としては、画面切替え、また第二の例としては、画面上に被せてアイコン等による記号を表示する、また第三の例としては、同時に並べて表示する、という方法がある。
【発明の開示】
【発明が解決しようとする課題】
【０００３】
しかしながら、第一の例では、その都度画面を切り替えるのは関係がわかりにくくなるという問題があり、第二の例は、デジタルカメラの再生画面などで多用されているが、情報量が少なく、用意された記号に限定されるという問題があり、第三の例では、PCなど画面の大きい端末においては有効であるが、携帯情報機器など、画面の小さい端末において適さないという問題がある。
【課題を解決するための手段】
【０００４】
本発明は係る問題点を鑑みてなされたものであり、保存された複数の文書又は画像データから縮小画像データを生成して一覧表示する事のできる表示装置において、前記縮小画像に関連つけて情報を入力する入力手段と、前記縮小画像と前記入力された情報を保存する縮小データ記憶手段と、前記縮小画像と前記入力情報を表裏の関係として反転表示させるＧＵＩ手段とを有するものである。
【発明の効果】
【０００５】
本発明によれば、電子画像の整理に現実の写真、アルバムのメタファを使うことによって、電子機器を使い慣れないユーザにも馴染み易い操作を提供できるという効果がある。
【０００６】
また、現実の写真に裏書きするように、目的のサムネイルデータの裏側に関連するメモやデータをつけられるので、サムネイルデータに関連するデータを見つけ易いという効果がある。
【発明を実施するための最良の形態】
【０００７】
以下、図面を用いて本発明の実施形態を詳細に説明する。
【０００８】
図1は本実施例における装置の外観図及び操作画面の一例である。
【０００９】
まず、前提として本装置はデジタルカメラやＰＣと接続して画像を取込み表示するものである。
【００１０】
101は、液晶画面であり、以下に説明する操作ボタン、スライダバー及びサムネイル画像を表示する。また、操作の結果、サムネイルより実データを再生する。また、画面上でサムネイルデータにストロークの書き込み等のアノテーション操作が行える。同画面に使用する液晶表示器において、本実施例では対角３．５吋のサイズで横640ドット、縦240ドットのフルカラー画素で構成している。
102は、画像取込みボタンであり、デジタルカメラやＰＣなど外部機器と接続し画像を取り込む際の操作に使用する。
【００１１】
103は、メニュー表示ウィンドウであり、メニュー選択ボタン104を押下すると表示され、選択中のサムネイルまたはサムネイルの裏側データに対して実行可能なメニューを表示する。（実施例では、メニュー項目として“メモを書く”“写真を貼る”“リンクをは
る” “裏返し禁止”について説明している。 ）
【００１２】
104は、メニュー選択ボタンであり、本ボタンを押下するとメニュー表示ウィンドウ103にメニュー項目を表示し、再度押下するとメニュー表示をオフにする。メニュー項目の選択切替えはハードキーにより行う。
【００１３】
102〜103は、液晶画面上のソフトキーであるところの操作ボタンである。
105はスライダであり、スライダバー 106上に表示され、全体データの中で現在画面に表示中のサムネイルデータの位置を示し、これを移動することで表示中のサムネイルデータを切り替える。
【００１４】
107はハードキーであり、本装置全体の電源をＯＮ/ＯＦＦするためのＳＷであり、長押しすることでON/OFFを切り替える。また、押下のポジションにより、選択・決定ボタンをも兼ねる。同ＳＷは３点のロータリーＳＷであり、前（Prev）方向に選択を送るときのポジション"前"、次(Next)方向に選択を送るときのポジション"次"、選択を決定するための"決定"の３ポシションを選択できる。メニュー項目の選択、サムネイルの選択の際にはこのボタンを使用して操作する。
【００１５】
図2は、本実施形態に係るシステム全体の流れを示す図である。
【００１６】
同図に示すように、システムが起動され、ステップs201において、電源がoffで無い場合には、ステップs202において、イベントが判断され、イベントが画像取込みである場合には、ステップs203に進み、画像取込みステップを起動し、画像取込みを行う。
【００１７】
ステップs202においてイベントが画像取り込みでない場合には、ステップs204に進み、一覧表示ステップを起動し、一覧表示を行なう。
【００１８】
ステップs201において電源がoffである場合には。ステップs205に進み、
システム終了ステップを起動しシステムを終了する。
【００１９】
図3は、本実施形態に係る情報処理装置の１実施形態のハードウェア構成を示すブロック図である。
【００２０】
同図において、１は、画像を入力する画像入力手段である。２は、１で入力された画像及び操作のためのユーザｉ／ｆ画像を表示する画像表示手段である。10は装置を操作するための座標入力手段やキー、ｓｗからなる操作手段である。
３は、入出力I/F部であり、前記画像入力手段１、画像表示手段２及び操作手段１０と後述するＣＰＵ４との信号授受を仲介する。
【００２１】
４は、ＣＰＵであり、各種処理のための演算、論理判断等を行ない、バス９に接続された各構成要素を制御する。
【００２２】
５は、プログラムメモリであり、後述するフローチャートに従った処理手順を含むＣＰＵ４による制御のためのプログラムを格納するメモリである。プログラムメモリ５は、ＲＯＭであってもよいし、外部記憶装置などからプログラムがロードされるＲＡＭであってもよい。
【００２３】
６は、データメモリであり、各種処理で生じたデータを格納する。データメモリ６は、例えばＲＡＭとする。
【００２４】
７は、データメモリ６の一部で構成するファイルDBであり、データメモリ上に、入力された複数のファイルデータが格納されている。
【００２５】
８は、データメモリ６の一部で構成するデータテーブルであり、一覧表示と検索のためのデータが格納されている。データテーブル８の詳細は後述するが、ファイルごとに一覧表示を行う際の主要な情報を格納しており現在処理対象となっているファイルのテーブル番号はデータメモリ６中に構成されたサムネイル表示開始ポインタ12とカウンタ11の値の和によって指し示されるよう制御プログラムによって処理される。
【００２６】
９は、ＣＰＵ４の制御の対象とする構成要素を指示するアドレス信号、各構成要素を制御するためのコントロール信号、各構成機器相互間でやりとりされるデータの転送を行なうためのバスである。
【００２７】
図12は本実施例において参照されるデータテーブルの例である。
【００２８】
以下、各カラムについて説明する。
【００２９】
表示順：サムネイルの、表示画面における表示順を示す。
【００３０】
オリジナル：サムネイルのオリジナルファイル名を格納する。
【００３１】
サムネイル：オリジナルファイルより生成されたサムネイルファイル名を格納する。
【００３２】
裏データ：サムネイルデータを裏返して入力された裏データのファイル名を格納する。デフォルト値はnullである。
【００３３】
リンク：サムネイルデータを裏返して、メニュー“リンクをはる”選択により裏データ
に関連付けられたファイル名とパスを格納する。デフォルト値はnullである。
【００３４】
裏表：現在の表示ステータスを示す。0は表すなわちサムネイル表示中であり、 1は裏すなわち裏データ表示中である。デフォルト値は0である。
【００３５】
裏禁：裏返し禁止ステータスを示す。 1が禁止である。デフォルト値は0である。
【００３６】
書込禁止：サムネイルデータへの書き込み禁止ステータスを示す。 1が禁止である。デフォルト値は0である。
【００３７】
オーバーレイ：サムネイルデータへの書き込みが禁止の場合に、サムネイルに書き込まれたストロークデータを別ファイルとして保存し、サムネイルにオーバーレイ表示するデータのファイル名格納する。デフォルト値はnullである。
【００３８】
図4は、本実施形態に係る画像取込みステップの流れを示す図である。
【００３９】
同図に示すように、画像取込みステップが起動されると、ステップs401において、サムネイル表示開始ポインタを0にセットし、続くステップs402で、カウンタを0にセットする。
【００４０】
次にステップs403において、入力データがある場合にはステップs404に進み、データ入力を受け、次にステップs405で、入力データファイル名を縮小データ記憶領域のオリジナルデータ項目へコピーする。
【００４１】
次にステップs406において、該データのサムネイル画像を生成し、次にステップs407において、サムネイル画像を縮小データ記憶領域のサムネイルデータ領域に記憶する。
【００４２】
次にステップs408において、縮小データ記憶領域の裏返し禁止フラグをリセットする。
【００４３】
次にステップs409において、読み込んだ元データを保存する。
【００４４】
次にステップs410において、サムネイル表示開始ポインタをひとつ進め、s403にもどる。
【００４５】
ステップs403において、入力データがない場合には画像取り込み処理を終了する。
【００４６】
図5は、本実施形態に係る一覧表示ステップの流れを示す図である。
【００４７】
同図に示すように、一覧表示ステップが起動されると、ステップs501において、サムネイル表示開始ポインタを0にセットし、続くステップs502で、カウンタを0にセットする。
【００４８】
次にステップs503において、裏表ステータスをチェックし、0すなわち表である場合には、ステップs504に進み、サムネイルデータを表示する。
【００４９】
ステップs503において、1すなわち裏である場合には、ステップs505に進み、裏データを表示する。
【００５０】
次にステップs506において、カウンタをひとつ進め、続くステップs507で、カウンタをチェックし９である場合には、ステップs508に進み、GUI画面を描画する。
【００５１】
ステップs507で、カウンタが９で無い場合には、ステップs503に戻り以降の処理を繰り返す。
【００５２】
次にステップs509において、選択表示ステップを起動し、表示サムネイルに対する選択操作を受け付ける。
【００５３】
次にステップs601に進む。
【００５４】
図6は、本実施形態に係る選択表示ステップの流れを示す図である。
【００５５】
同図に示すように、選択表示ステップが起動されると、ステップs601において、ペン操作が行われるまでで待機し、ペン操作が行われた場合には、ステップs602に進む。
【００５６】
ステップs602において、ペン操作がサムネイルの選択（シングルタップ）である場合には、ステップs603に進み、該サムネイルの順番をカウンタにセットし、ステップs601に戻る。
【００５７】
ステップs602において、ペン操作がサムネイルの選択（シングルタップ）でない場合には、ステップs604に進み、操作が判断され、ダブルタップである場合には、ステップs605に進みファイル呼出しステップを起動し、該サムネイルの実ファイルを呼び出し表示し、ステップs601に戻る。
ステップs604において、操作が裏返しに該当するジェスチャーである場合には、ステップs606に進み、裏表示ステップを起動し裏データを表示し、ステップs601に戻る。
【００５８】
ステップs604において、ペン操作がメニューボタン押下の場合には、ステップｓ607に進み、選択メニューステップを起動し選択メニューを表示し選択されたメニューに対応する処理を行い、ステップs601に戻る。
【００５９】
ステップs604で、ペン操作がスライダ操作である場合には、ステップｓ608に進み、スライダバー表示位置を書換え、次にステップs609で、スライダバー位置に対応する順番をサムネイル表示開始ポインタにセットして、ステップs502に戻る。
【００６０】
図7は、本実施形態に係るファイル呼出しステップの流れを示す図である。
【００６１】
同図に示すように、ファイル呼出しステップが起動されると、ステップs701において、データテーブルを参照し、続くステップs702で、関連ファイルの有無をチェックする。
【００６２】
関連ファイルが有る場合には、ステップs703に進み、対応するオリジナルファイルを呼び出して表示し、関連ファイルが無い場合には、以降の処理を省略して、処理を終了する。
【００６３】
図8は、本実施形態に係る裏表示ステップの流れを示す図である。
【００６４】
同図に示すように、裏表示ステップが起動されると、ステップs801において、データテーブルを参照し、続くステップs802で、裏返し禁止フラグのステータスをチェックする。ステータスが1すなわち現在裏返し禁止である場合には、以降の処理を省略して処理を終了する。
【００６５】
ステータスが0すなわち現在裏返し禁止でない場合には、ステップs803に進み、裏データがnull出ない場合には、ステップs804に進み裏データを呼出し、ステップs803で、裏データがnullである場合には、ステップs805に進み用意された白紙ファイル（白いサムネイル表示）を呼出し、最後にステップs806で裏返しアニメーションステップを起動し、サムネイルがめくられていくと同時に、めくられたサムネイルの裏側に裏データが見えながら裏返っていくアニメーションを表示して最終的に裏データを表示して、処理を終了する。
【００６６】
図9は、本実施形態に係る選択メニューステップの流れを示す図である。
【００６７】
同図に示すように、選択メニューステップが起動されると、ハードキーで選択メニュー項目の切替表示が行われ、ステップs900で決定ボタンが押されるまで待機する。
【００６８】
決定ボタンが押されると、ステップs901に進み、現在の選択メニューが判断される。
【００６９】
ここで、メニューボタン押下によりメニューオフになった場合には処理を行わず、ステップs601へ進む。
【００７０】
選択メニューが、“メモを書く”である場合には、ステップs902に進み、サムネイル上
の入力を検知し、入力があった場合にはステップs903に進み、入力されたストロークを一時記憶に保存する。
【００７１】
サムネイル上にストロークの入力が無い場合には、ステップs904に進み、データテーブルを参照し裏表ステータスをチェックし、0すなわち表である場合には、ステップs905に進み、さらに書込禁止ステータスをチェックし、ステータスが0すなわち書込禁止で無い場合には、ステップs906に進み、サムネイルデータに入力データを上書きし、ステップs900に戻る。
【００７２】
ステップs905で書込禁止ステータスが1すなわち書込禁止である場合には、ステップs907に進み、入力されたストロークデータを別ファイルとして保存し、オーバレイファイルとしてデータテーブルにファイル名を格納して、ステップs900に戻る。
【００７３】
ステップs904において、裏表ステータスが1すなわち裏である場合には、ステップs908に進み、裏データに入力データを上書きし、ステップs900に戻る。
選択メニューが、“写真を貼る”である場合には、ステップs909に進み、サムネイル貼付
ステップを起動し、指定画像のサムネイルを裏データとして表示し、データテーブルに格納する。
【００７４】
選択メニューが、“リンクをはる”である場合には、ステップs910に進み、関連付けス
テップを起動し、関連付けを行ってステップs900に戻る。
【００７５】
選択メニューが、“裏返し禁止”である場合には、ステップs911に進み、裏返し禁止フ
ラグを１にセットし、ステップs900に戻る。
【００７６】
選択メニューが、“書込禁止”である場合には、ステップs912に進み、書込禁止フラグ
を１にセットし、ステップs900に戻る。
【００７７】
選択メニューが、“一覧表示終了”である場合には、処理を行わず、ステップs201に進
む。
【００７８】
図10は、本実施形態に係る関連付けステップの流れを示す図である。
【００７９】
同図に示すように、関連付けステップが起動されると、ステップs1001において、サブウィンドウ表示処理を行ない、画面上にサブウィンドウを表示し、現在選択可能データファイルのサムネイルを表示する。サブウィンドウでは、データを前後に送って表示することができる。
【００８０】
ステップs1002で、サブウィンドウ上に表示中のサムネイルデータが選択されたと判断されるまでステップs1001において、サブウィンドウ表示処理を繰り返す。
また、ステップs1003で、決定ボタンが押されるまでステップs1001に戻りサブウィンドウ表示処理を繰り返す。
【００８１】
ステップs1002で、サブウィンドウ上に表示中のサムネイルデータが選択されたと判断されると、ステップs1003に進み、決定ボタン押下により確定されると、ステップs1004に進み、データテーブルに該選択ファイル名とパスを書き込み処理を終了する。
【００８２】
図11は、本実施形態に係るサムネイル貼付けステップの流れを示す図である。
【００８３】
同図に示すように、サムネイル貼付けステップが起動されると、ステップs1101において、サブウィンドウ表示処理を行ない、画面上にサブウィンドウを表示し、現在選択可能データファイルのサムネイルを表示する。サブウィンドウでは、データを前後に送って表示することができる。
【００８４】
ステップs1102で、サブウィンドウ上に表示中のサムネイルデータが選択されたと判断されるまでステップs1101において、サブウィンドウ表示処理を繰り返す。
【００８５】
また、ステップs1103で、決定ボタンが押されるまでステップs1101に戻りサブウィンドウ表示処理を繰り返す。
【００８６】
ステップs1102で、サブウィンドウ上に表示中のサムネイルデータが選択されたと判断されると、ステップs1103に進み、決定ボタン押下により確定されると、ステップs1104に進み、データテーブルに裏データとして該選択サムネイルファイル名を書き込み、処理を終了する。
【００８７】
図13は、本実施形態に係る実施例を説明する画面遷移を示す図である。
【００８８】
1301は、一覧表示画面であり、サムネイルが表示されている。
【００８９】
1302は、選択画面であり、一覧表示画面1301より、任意のサムネイルを選択した状態である。
【００９０】
1303は、選択画面1302の時に、メニューより“裏返し禁止”を選択している状態である
。
【００９１】
1304は、選択画面1301より、画面上のジェスチャー操作により、 任意のサムネイルの“裏返し”を行っている状態である。
【００９２】
1305は、1303で裏返されたサムネイルの裏側を表示している。この場合、該サムネイルの裏側に対してはまだ何の操作もされていない為、デフォルトで“白紙”が表示されてい
る。裏データとしてリンクデータが存在する場合にはリンクの存在を示し、メモが書かれている場合にはメモを表示し、別の写真が貼られている場合にはその写真のサムネイルを表示する。
【００９３】
さらに1305は、メニューより“メモを書く”を選択している状態であり、1306は、これに手書きでメモを書いた状態である。
【００９４】
1307は、裏返して選択中のサムネイルに対して、メニューより“写真を貼る”を選択し
、選択の為のサブウィンドウが画面上部に表示されている状態である。
画面下部で表示中のサムネイルで現在選択中のサムネイル（囲み線で選択状態を示す）に対して、上部サブウィンドウで表示中のサムネイルを選択（囲み線で選択状態を示す）すると、データテーブルにサムネイルファイル名が保存される。
1308は、 1307の結果、貼り付けられたサムネイルが裏データとして表示されている状態である。
【００９５】
1309は、裏返して選択中のサムネイルに対して、メニューより“リンクをはる”を選択
し、リンク先選択の為のサブウィンドウが画面上部に表示されている状態である。
【００９６】
上部サブウィンドウで表示中のサムネイルを選択すると、リンク先としてデータテーブルにファイル名とパスが保存される。
【００９７】
以下に、本実施例について具体的な動作を上記フローを用いながら流れを追って説明する。
【００９８】
図１のような装置外観及び操作画面構成を持ち、図3のようなハードウェア構成と、図２のようなシステム構成を持つ小型情報機器において、図13の1301にあるような画面が表示されているとする。
【００９９】
これは、図1のように、デジタルカメラまたはＰＣを接続して、画像取込みボタン102を押して画像取込みステップｓ203を起動し本体データベースに取り込んだ画像を、一覧表示ステップｓ204で液晶画面101にサムネイル表示しているものである。
【０１００】
このとき、1302にあるように、任意のサムネイルを選択すると、ｓ602でサムネイルが選択されたことが判断され、ｓ603でサムネイルの順番がカウンタにセットされる。
【０１０１】
ここで、1303にあるように、メニューボタンが押されると、ｓ607で図9の選択メニューステップが起動される。ここで、ハードキーによりメニュー項目が切替え表示され決定ボタンが押された時点で、ｓ901で選択メニューが判断され、この場合選択メニューが“裏返し禁止”であるので、ｓ911でデータテーブルの裏返し禁止フラグが１に書き換えられる。その結果、一覧表示画面で、該サムネイルを“裏返し”操作しようとしても裏返す
ことはできない。
【０１０２】
サムネイルに対する“書き込み禁止”をメニューより指定する場合においても、上記“
裏返し禁止”と同様の処理が行われる。
【０１０３】
また、一覧表示画面（選択画面を含む）で、別のサムネイルを選択し裏返し操作を行うこととする。1304にあるように、サムネイルに対して“裏返し”に該当するジェスチャー
操作を行うと、ｓ606で図8の裏表示ステップが起動される。ここでは、裏返し禁止はされていないこととするので、ｓ802の裏返しフラグは0で、ｓ803に進み、また裏データが存在していないこととするので、ｓ805で白紙ファイルを呼び出して、ｓ806の裏返しアニメーション表示により、ＧＵＩ上で該サムネイルが裏返しにめくられていくと同時に裏面の白紙が見えながら裏返っていくアニメーションで“裏返し”ジェスチャー操作が示される。その結果、1305にあるようにサムネイルを裏返した部分には“白紙”で表示される。
【０１０４】
ここで、メニューで“メモを書く”を選択すると、図9の選択メニューステップで、サ
ムネイル上でペン操作によるストローク入力がｓ903で一時記憶に格納され、現在、ｓ904で裏表ステータス判断の結果、裏表示であるので、該ストロークをｓ908でサムネイルデータに重ね書きして記憶する。
【０１０５】
また、一覧表示画面（選択画面を含む）で、別のサムネイルを選択し裏返し操作を行し、1307にあるように、サムネイルに対してメニューより“写真を貼り付ける”を選択した
とする。決定ボタンで確定すると、ｓ909で図11のサムネイル貼付けステップが起動され、ｓ1101でサブウィンドウ表示処理が起動される。
【０１０６】
1307の画面に示すように、サブウィンドウは画面上部に表示され、現在選択可能なサムネイルデータが表示される。左右の三角矢印ボタンにより、データを前後に送って表示し、目的のサムネイルを選択してから（ｓ1102）、ハードキーの決定ボタンで確定する（ｓ1103）。その結果、ｓ1104でデータテーブルの裏データにサムネイルファイル名が書き込まれ、1308のような画面が表示される。
【０１０７】
また、一覧表示画面（選択画面を含む）で、別のサムネイルを選択し裏返し操作を行し、1309にあるように、サムネイルに対してメニューより“リンクをはる”を選択したとす
る。決定ボタンで確定すると、ｓ910でデータテーブルが参照され、図10の関連付けステップが起動され、ｓ1001でサブウィンドウ表示処理が起動される。
【０１０８】
1309の画面に示すように、サブウィンドウは画面上部に表示され、現在選択可能なサムネイルデータが表示される。左右の三角矢印ボタンにより、データを前後に送って表示し、目的のサムネイルを選択してから（ｓ1002）、ハードキーの決定ボタンで確定する（ｓ1003）と、ｓ1004でデータテーブルのリンクファイルにファイル名とパスが書き込みにサムネイルファイル名が書き込まれる。
【０１０９】
その結果、次に該サムネイルの裏データをダブルタップすると、上記で指定したリンク先を表示する。
【０１１０】
以上説明したように、本実施例を施すことによって、現実の写真に裏書きするように、目的のサムネイルデータの裏側に関連するメモやデータをつけられるので、サムネイルデータに関連するデータを見つけ易いという効果がある。
【図面の簡単な説明】
【０１１１】
【図１】本実施形態に係る装置の外観図及び操作画面の一例を示す図である。
【図２】本実施形態に係る情報処理装置における、システム全体の流れを示す図である。
【図３】本実施形態に係る情報処理装置の１実施形態のハードウェア構成を示すブロック図である。
【図４】本実施形態に係る情報処理装置における画像取込みステップの流れを示す図である。
【図５】本実施形態に係る情報処理装置における一覧表示ステップの流れを示す図である。
【図６】本実施形態に係る情報処理装置における選択表示ステップの流れを示す図である。
【図７】本実施形態に係る情報処理装置における選択表示ステップで呼び出されるファイル呼出しステップの流れを示す図である。
【図８】本実施形態に係る情報処理装置における選択表示ステップで呼び出される裏表示ステップの流れを示す図である。
【図９】本実施形態に係る情報処理装置における選択表示ステップで呼び出される選択メニューステップの流れを示す図である。
【図１０】本実施形態に係る情報処理装置における選択メニューステップで呼び出される関連付けステップの流れを示す図である。
【図１１】本実施形態に係る情報処理装置における選択メニューステップで呼び出されるサムネイル貼付けステップの流れを示す図である。
【図１２】本実施形態に係る情報処理装置において参照されるデータテーブルの構成について示す図である。
【図１３】本実施形態に係る情報処理装置における実施例について説明する図である。
【符号の説明】
【０１１２】
１  画像入力手段
２  画像表示手段
３  入出力I/F部
４  ＣＰＵ
５  プログラムメモリ
６  データメモリ
７  ファイルDB
８  データテーブル
９  バス
11  カウンタ
12  サムネイル開始ポインタ
【図１】
2006072481.tif 000003
【図２】
2006072481.tif 000004
【図３】
2006072481.tif 000005
【図４】
2006072481.tif 000006
【図５】
2006072481.tif 000007
【図６】
2006072481.tif 000008
【図７】
2006072481.tif 000009
【図８】
2006072481.tif 000010
【図９】
2006072481.tif 000011
【図１０】
2006072481.tif 000012
【図１１】
2006072481.tif 000013
【図１２】
2006072481.tif 000014
【図１３】
2006072481.tif 000015